(57)【要約】  核医学スキャナシステム（１）は、複数の患者を各々、核医学スキャン装置（４）を用いる指示された核医学スキャン手順に関して、患者投与量を最小化するタイムウィンドウ内で、似たスキャン手順を用いた以前の患者から取り出されるデータに基づいてスケジュールするインテリジェントスケジューラ（２）を含む。
2016502092.tif 000002
【特許請求の範囲】
【請求項１】
複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールするインテリジェントスケジューラ、
を有する核医学スキャナシステム。
【請求項２】
前記タイムウィンドウは、
前記指示された手順と、少なくとも１つの患者特性と、到着時間とに基づく放射性医薬品の単位用量の時間及び量と、
前記放射性医薬品の前記時間及び用量と、患者ローディング／アンローディング要件と、前記指示された手順とに基づくスキャン手順の時間及び所要時間と、
を含む、請求項１に記載のシステム。
【請求項３】
前記取り出されるデータは、
放射性医薬品、
投与された放射性医薬品の単位用量、
関心領域、
患者の体重、
疾患、
スキャンプロトコル、
放射性医薬品を投与してからスキャンまでの待機時間、
画像品質、
スキャン所要時間、
時刻、
スキャン装置の種類、
装置オプション、
稼働時間、及び
核医学の成功事例
のうちの少なくとも１つによる、以前の患者からのデータの選択及び／又はグループ分けを含む、請求項１乃至２の何れか一項に記載のシステム。
【請求項４】
或る日の複数の患者の前記スケジュールが最適化され、該最適化は、少なくとも一人の患者の前記スケジュールを、前記タイムウィンドウを延長し且つ投与用量を削減することによって、利用可能なタイムウィンドウに適合するように調整することを含む、請求項１乃至３の何れか一項に記載のシステム。
【請求項５】
複数の患者の前記スケジュールが、以前の患者のグループと比較して各患者の高い品質の画像及び最小限の投与量に必要な、稼働時間及びスタッフの休憩を含む時間に基づいて、複数の日にちの長さにわたって最適化される、請求項１乃至４の何れか一項に記載のシステム。
【請求項６】
前記患者特性は、
患者の質量、
患者が前記スキャン装置の患者サポート上で過ごすことができる最大時間
のうちの少なくとも一方を含む、請求項２乃至５の何れか一項に記載のシステム。
【請求項７】
前記ローディング／アンローディング要件は、
患者の年齢、
患者の質量、
患者の身長−質量比、
患者が歩行可能かどうか、
患者に意識があるかどうか
のうちの少なくとも１つに基づく患者可動性の指標を含む、請求項２乃至６の何れか一項に記載のシステム。
【請求項８】
受領した各放射性医薬品の発注単位用量、時間に伴う各放射性医薬品の崩壊、及び意図される患者を追跡する追跡ユニットと、
放射性医薬品の追跡された単位用量と、スケジュールされた複数の患者の到着とに基づいて、
各患者に各放射性医薬品の追跡された単位用量を投与すべき時間、
各患者を前記スキャン装置内にローディングすべき時間及び所要時間、
前記指示されたスキャン手順を実行すべき時間及び所要時間、及び
各患者を前記スキャン装置からアンローディングすべき時間及び所要時間
を予測する予測ユニットと、
を更に含む請求項１乃至７の何れか一項に記載のシステム。
【請求項９】
前記予測ユニットは、
前記スケジュールへの取消、
前記スケジュールへの緊急追加、
発注した放射性医薬品単位用量の受領の遅れ、
少なくとも１つの放射性医薬品単位用量の喪失、
少なくとも一人の患者に放射性医薬品を投与することの遅れ、
患者をローディング及び／又はアンローディングすることの遅れ、及び
延長されたスキャン手順による遅れ
のうちの少なくとも１つに基づいて前記予測を修正する、請求項８に記載のシステム。
【請求項１０】
前記予測ユニットは、少なくとも１つの患者スケジュールへの少なくとも１つの提案変更に基づく“ｗｈａｔ−ｉｆ”シナリオを含み、前記予測ユニットは、代替的な予測として、前記少なくとも１つの患者スケジュールへの前記少なくとも１つの提案変更によって影響される全ての患者スケジュールへの変更を予測する、請求項８乃至９の何れか一項に記載のシステム。
【請求項１１】
核医学撮像をスケジュールする方法であって、
複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールすること、
を有する方法。
【請求項１２】
前記タイムウィンドウは、
前記指示された手順と、少なくとも１つの患者特性と、到着時間とに基づく放射性医薬品の単位用量の時間及び量と、
前記放射性医薬品の前記時間及び用量と、患者ローディング／アンローディング要件と、前記指示された手順とに基づくスキャン手順の時間及び所要時間と、
を含む、請求項１１に記載の方法。
【請求項１３】
データを取り出すことは更に、
放射性医薬品、
投与された放射性医薬品の単位用量、
関心領域、
スキャンプロトコル、
スキャン所要時間、
時刻、
スキャン装置の種類、
装置オプション、
稼働時間、及び
成功事例ガイドライン
のうちの少なくとも１つに基づいて、以前の患者スキャン手順のスキャン手順の時間及び所要時間を選択することを含む、請求項１１乃至１２の何れか一項に記載の方法。
【請求項１４】
少なくとも一人の患者の前記スケジュールを、前記タイムウィンドウを延長し且つ投与用量を削減することによって、利用可能なタイムウィンドウに適合するように調整すること、
を更に含む請求項１１乃至１３の何れか一項に記載の方法。
【請求項１５】
複数の日にちの長さにわたる複数の患者の前記スケジュールを、以前の患者のグループと比較して各患者の高い品質の画像及び最小限の投与量に必要な、稼働時間及びスタッフの休憩を含む時間に基づいて最適化すること、
を更に含む請求項１１乃至１３の何れか一項に記載の方法。
【請求項１６】
受領した各放射性医薬品の発注単位用量、時間に伴う各放射性医薬品の崩壊、及び各患者に関する用量を追跡することと、
放射性医薬品の追跡された単位用量と、スケジュールされた複数の患者の到着とに基づいて、
各放射性医薬品の追跡された単位用量を関連する各患者に投与すべき時間、
各患者を前記スキャン装置内にローディングすべき時間及び所要時間、
前記指示されたスキャン手順を実行すべき時間及び所要時間、及び
各患者を前記スキャン装置からアンローディングすべき時間及び所要時間
を予測することと、
を更に含む請求項１１乃至１５の何れか一項に記載の方法。
【請求項１７】
前記予測を、
前記スケジュールへの取消、
前記スケジュールへの緊急追加、
発注した放射性医薬品単位用量の受領の遅れ、
少なくとも１つの放射性医薬品単位用量の喪失、
少なくとも一人の患者に放射性医薬品を投与することの遅れ、
患者をローディング及び／又はアンローディングすることの遅れ、及び
延長されたスキャン手順による遅れ
のうちの少なくとも１つに基づいて修正すること、
を更に含む請求項１６に記載の方法。
【請求項１８】
ソフトウェアを担持する非一時的なコンピュータ読み取り可能記憶媒体であって、前記ソフトウェアは、請求項１１乃至１７の何れか一項に記載の方法を実行するように１つ以上の電子データ処理装置を制御する、コンピュータ読み取り可能記憶媒体。
【請求項１９】
請求項１１乃至１７の何れか一項に記載の方法を実行するように構成された電子データ処理装置。
【請求項２０】
少なくとも１つのプロセッサを有する核医学スキャナシステムであって、
前記少なくとも１つのプロセッサは、
複数の患者を、核医学スキャン装置用の指示された核医学スキャン手順に関してスケジュールし、各患者が、
到着日時と、
前記指示された手順と、患者特性と、到着時間とに基づく放射性医薬品の単位用量の時間及び量と、
前記放射性医薬品の前記時間及び用量と、患者ローディング／アンローディング要件と、前記指示された手順とに基づくスキャン手順の時間及び所要時間と
に関してスケジュールされ、且つ
受領した放射性医薬品の単位用量と、スケジュールされた複数の患者の到着とに基づいて、
受領した各放射性医薬品の単位用量を各患者に投与すべき時間と、
各患者を前記スキャン装置内にローディングすべき時間及び所要時間と、
前記指示されたスキャン手順を実行すべき時間及び所要時間と、
各患者を前記スキャン装置からアンローディングすべき時間及び所要時間と
を予測する、
ように構成される、
核医学スキャナシステム。
【請求項２１】
少なくとも１つのプロセッサを有する核医学スキャナシステムであって、
前記少なくとも１つのプロセッサは、
複数の受領した放射性医薬品の発注単位用量を追跡し、追跡される各単位用量が、時間に伴う各放射性医薬品用量の崩壊を含み、スケジュールされた到着時間と指示されたスキャン手順とを有する意図される患者を追跡し、且つ
スキャン装置の使用についての取り出されたデータと、放射性医薬品の追跡された単位用量と、各患者の到着とに基づいて、
追跡された各単位用量を各患者に投与すべき時間と、
各患者を前記スキャン装置内にローディングすべき時間及び所要時間と、
前記スキャン装置を用いて前記指示されたスキャン手順を実行すべき時間及び所要時間と、
各患者を前記スキャン装置からアンローディングすべき時間及び所要時間と
を予測する、
ように構成される、
核医学スキャナシステム。
【発明の詳細な説明】
【技術分野】
【０００１】
以下は、概して核医学イメージング及び患者ワークフローに関する。以下は、特に放射性医薬品を用いた診断撮像手順を受ける患者のスケジューリングとともに適用され、特にそれを参照して記載される。しかしながら、理解されるように、以下はまた、他の使用状況でも適用され、必ずしも上述の用途に限定されない。
【背景技術】
【０００２】
核医学は典型的に、疾患の診断のため、代謝活動に狙いを定める放射性医薬品の使用を伴う。通常、放射性医薬品が注入されて代謝活動による或る時間の摂取後、例えば陽電子放出型断層撮影（ＰＥＴ）スキャナ、単光子放出型コンピュータ断層撮影（ＳＰＥＣＴ）、及びこれらに類するものなどの撮像スキャナにて患者が撮像される。放射性医薬品崩壊によるフォトン放出を測定することによって画像が生成される。
【０００３】
核医学撮像手順を受ける患者は、典型的に、委託元の医師によって日時をスケジュールされ、そのスケジュールされる日時は、一度に一人の患者をスキャンするものであるスキャナの利用可能性に基づく。放射性薬局は典型的に、手術日当たり１〜２回、その日又はその日のその部分に予定を入れられた患者用の単位用量の放射線医薬品を送り届ける。放射性医薬品は短い半減期を有する。例えば、フッ素１８を含んだ放射性医薬品は、およそ１０９分の半減期を有し、ガリウム６８を含んだ放射性医薬品は、およそ６８分の半減期を有する。放射性医薬品は、放出される放射線の量に基づく強さを有する。ガイドラインが、身体の大きさと、７０ｋｇの大人で典型的に５−３５ミリキュリー（ｍＣｉ）の範囲内という線量の強さとに基づいて、スキャン時間及び線量に関して与えられる。しかしながら、半減期、及び薬局からの配達と患者への投与との間の時間により、強さが有意に低下し得る。例えば、２０ｍＣｉのガリウム６８放射性医薬品の薬瓶が８：００に配達される場合、９：０８分の時点で実効的な単位用量は１０ｍＣｉまで低下しており、そして１０：１６分の時点で実効的な単位用量はたったの５ｍＣｉまで低下してしまっている。
【０００４】
患者の到着は、患者が放射性医薬品の注入を受けるようにスケジュールされている時間に基づく。患者は、注入を受け、そして、撮像に先立って、典型的に３０分から１時間、摂取が起こる間の期間だけ静かな空間で待機する。患者は、スキャナ装置の撮像テーブル上に乗せられる（ローディングされる）。大抵の患者では、このローディングは数分以内に行われるが、一部の患者は、スキャナテーブル上に配されるのに特別な必要性を有したり、更なる時間を要したりすることがある。患者が乗せられた後、患者がスキャンされる。スキャン時間は、スキャン種類、スキャナ、及び撮像時点での放射性医薬品の強さに基づく。スキャン時間は、放射性医薬品の強さが最低レベルまで低下するにつれて延長され得る。スキャンが完了した後、画像が再構成されて、画像品質に関して検査され、そして、患者がテーブルから降ろされる（アンローディング）。この場合も、大抵の患者では、これは比較的迅速に行われるが、一部の患者では、例えば歩行不能の患者又は意識不明の患者などでは、その時間が長くなり得る。テーブルが開放されると、次のスケジュールされた患者がテーブル上に乗せられ得る。
【０００５】
スキャン装置は、スケジューリングにおける制約であり、単一の患者しか収容することができない。単一の患者による使用時間は、ローディング及びアンローディングの時間と、撮像時点での放射性医薬品の強さに依存するスキャン時間とを含む。現場は、スタッフ配置の時間に依存して、一日に２４人ほどの多さの患者をスキャンすることができる。一部の現場は、患者をスケジューリングすること及び放射線医薬品を発注することの管理の複雑性を受けて、個々の患者特性に関係なく、その日又はその日の部分に予定を入れられた患者数に基づいて何単位用量かを発注あるいは購入している。何単位用量かを仕入れることは、特定の単位用量に対する患者依存性を避けることによって、発注、受取り、及び追跡を単純化する。現場は典型的に、広範なガイドラインの範囲内であり得るが診断撮像手順に必要なものより高い投薬量であり得る単位用量の全体を各患者に投与することになる。
【０００６】
時間依存性の複雑な管理は、その手順の日にも発生し得るものであるスケジュール及びワークフローへの動的変更によって更に厳しくなる。緊急スキャンが追加されることがあり、また、取消（キャンセル）及び遅れが発生する。スケジューリングは、休憩及びその他の時間制約を含むスタッフ配置の制約を含む。
【０００７】
一部の現場は、期待されるシステムスループットに基づいて、スケジューリング及び撮像ワークフローを設定している。スケジュールは通常、ワークフロー作成の時点で確定される業界平均に基づくブロックスケジューリングを含む。ワークフローは典型的に固定的であり、例えばローディング／アンローディング、及び患者がテーブル上で過ごすことができる時間制限など、患者固有の要因に対応していない。ワークフローは、半減期による放射線医薬品の強さの減退、及びスキャン時間への影響を組み入れていない。固定的なワークフローは、新しい手順、新しい放射性医薬品、成功事例（ベストプラクティス）、及び／又は現場での（ローカルな）カスタマイズ化や作業環境変化に基づく変化に順応していない。
【発明の概要】
【発明が解決しようとする課題】
【０００８】
以下にて、上述の問題及びその他を解決する新しくて改善されたインテリジェント（知的）核医学ワークフロースケジューラを開示する。
【課題を解決するための手段】
【０００９】
一態様によれば、核医学スキャナシステムは、複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールするインテリジェントスケジューラを含む。
【００１０】
他の一態様によれば、核医学撮像をスケジュールする方法は、複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールすることを含む。
【００１１】
他の一態様によれば、核医学スキャナシステムは、複数の患者を、核医学スキャン装置用の指示された核医学スキャン手順に関してスケジュールするように構成された少なくとも１つのプロセッサを含む各患者が、到着日時と、放射性医薬品の単位用量の時間及び量と、スキャン手順の時間及び所要時間とに関してスケジュールされる。放射性医薬品の単位用量の時間及び量は、指示された手順と、患者特性と、到着時間とに基づく。スキャン手順の時間及び所要時間は、放射性医薬品の時間及び用量と、患者ローディング／アンローディング要件と、指示された手順とに基づく。前記少なくとも１つのプロセッサは更に、受領した放射性医薬品の単位用量と、スケジュールされた複数の患者の到着とに基づいて、予測を行うように構成される。この予測は、受領した各放射性医薬品の単位用量を各患者に投与すべき時間と、各患者をスキャン装置内にローディングすべき時間及び所要時間と、指示されたスキャン手順を実行すべき時間及び所要時間と、各患者をスキャン装置からアンローディングすべき時間及び所要時間とを含む。
【００１２】
１つの利点は、個々の患者に対する投与量の最適化である。
【００１３】
他の１つの利点は、知的スケジューリングに基づく最適化されたシステムスループットにある。
【００１４】
他の１つの利点は、核医学手順をスケジューリングすることに対する現場での漸進的なワークフロー改善における成功事例の使用にある。
【００１５】
他の１つの利点は、現場の違い及び／又はカスタマイズ化に対応することにある。
【００１６】
以下の詳細な説明を読んで理解した当業者には、更なる利点が理解されることになる。
【図面の簡単な説明】
【００１７】
本発明は、様々な構成要素及びその配置、並びに様々なステップ及びその編成の形態を取り得る。図面は、単に好適実施形態を例示するためのものであり、発明を限定するものとして解釈されるべきではない。
【図１】インテリジェント核医学ワークフロースケジューラシステムの一実施形態を模式的に例示する図である。
【図２】インテリジェント核医学ワークフロースケジューリング方法の一実施形態を例示すフローチャートである。
【図３】インテリジェント核医学ワークフロースケジューラシステムの例示的なスケジュールを図式的に示す図である。
【図４】インテリジェント核医学ワークフロースケジューラシステムの例示的な予測を図式的に示す図である。
【発明を実施するための形態】
【００１８】
図１を参照するに、インテリジェント核医学ワークフロースケジューラシステム１の一実施形態が模式的に示されている。システム１は、典型的には指示する側の医療従事者によって指示される核医学スキャン手順に関して患者をスケジューリングするインテリジェントスケジューラ２を含んでいる。インテリジェントスケジューラは、複数の患者をスケジューリングし、各患者を、指示された核医学スキャン装置４を用いた核医学スキャン手順に関して、似通ったスキャン手順を用いた以前の患者から取り出された（マイニングされた）データに基づいて、そして患者投与量を最小化する時間ウィンドウ内でスケジューリングする。最適化の期間は、一日、一日の一部、幾日を含み得る。インテリジェントスケジューラは、指示側の医療従事者と音声通信する医療従事者によって操作されることができ、あるいは例えばウェブサイトなどのネットワークインタフェースを介して直接的に操作されることができる。
【００１９】
以前の患者から取り出されたデータのリポジトリ３が、例えばデータベースなどの構造化されたフォーマットで、以前の患者のスキャン手順からのデータを含んでいる。データは、索引付けられることができ、あるいは要約されることができる。リポジトリ３は、以前の患者に投与された放射性医薬品と、投与された放射性医薬品の単位用量とを含み得る。リポジトリは、放射性医薬品又は撮像プロトコルによって標的とされる１つ以上の関心領域を含み得る。リポジトリは、例えば性別、年齢、体重、疾患など、以前の患者特性を含み得る。リポジトリは、スキャンプロトコル、画像品質の指標、放射性医薬品の投与とスキャンの時点との間の待ち時間を含み得る。リポジトリは、スキャン所要時間、時刻、スキャン装置の種類、及び／又は例えば装置オプションなどのスキャン装置の特徴を含み得る。例えば、装置の種類は、ＰＥＴ、そのＰＥＴが飛行時間（ＴＯＦ）を含むかどうか、及びその他の撮像タイプ情報を含むことができる。他の一例において、ＰＥＴ装置の装置オプションは、例えば最低テーブル高さ、ボア開口などの、患者のローディングやアンローディングに影響を及ぼし得る動作条件を含むことができる。リポジトリは、スキャン装置を動作させている現場の稼働時間、経験年数、認証などを含み得る。リポジトリは、核医学の成功事例を目立たせる付加的な情報、並びに、プロトコル、画像、放射性医薬品、報告文献などに基づいて特定のスキャン手順に割り当てられたフラグ及び／又は重みを含み得る。リポジトリは、以前の患者の個々のスキャン手順の発生、又は、データを要約する例えば平均、最小値、最大値、標準偏差などの統計情報を含み得る。例えば、リポジトリは、腫瘍に関わるスキャン手順を持つ以前の患者の性別及び患者体重範囲によってグループ分けされた、放射性医薬品ごとの以前の患者のスキャン時間の平均を含み得る。このグループ分けは、腫瘍を有すると診断されたものと、腫瘍を有しないものとを含み得る。平均スキャン時間は、例えば平均、最小及び／又は最大の投与量並びにこれらに類するものなどの、その他の取り出しデータと関連付けられ得る。
【００２０】
各患者が、例えば三日間のタイムウィンドウ（時間帯）内で、到着日時に関してスケジュールされる。検査の前およそ１か月に、具体的な日時がインテリジェントスケジューラによって設定される。到着日時は、スキャン装置４の利用可能性と、患者スループットに関して最適化され、また最小化される患者線量に関して最適化され、そして患者特性に基づくスキャン手順にかかる時間とに基づく。スキャン装置４は、陽電子放出型断層撮影（ＰＥＴ）スキャナ、単光子放出型コンピュータ断層撮影（ＳＰＥＣＴ）スキャナ、及びこれらに類するものを含みことができる。例えば、患者は、ＰＥＴスキャナが９：３０に２０分のスキャン手順に利用可能な日の８：４５ａｍに到着するようスケジュールされる。８：４５ａｍと９：３０との間の時間は、患者に放射性医薬品を注入し、スキャン手順前の摂取のために患者が静かなエリアで待機する時間を含む。例えば患者がスキャンテーブル又は患者サポート（支持体）６の上で横になっていられる時間の制限などの患者特性を、スケジューリング制約に含めることができる。例えば、患者が楽には２０分しかじっと横になっていられないが、スキャン手順は典型的に３０分のスキャン時間を必要とすることがある。スケジューラは、２０分のスキャン時間をスケジュールするとともに、放射性医薬品の高めの投与量要求を指し示すことができる。
【００２１】
インテリジェントスケジューラは更に、指示された手順、患者特性、到着時間、及びスキャン手順のスケジュール時刻に基づいて、時間と単位放射性医薬品用量の量とをスケジュールすることができる。例えば、体重が７０ｋｇで９：３０のスキャン時刻に合わせて８：４５に到着する患者は、例えば１０ｍＣｉのガリウム６８などの放射線医薬品の注入を９：００ａｍにスケジュールされる。この放射性医薬品は、２０ｍＣｉのガリウム６８として、８：００ａｍにスキャン現場に届けられ得る。放射性医薬品の量は、注入の時刻とその後のスキャン現場での患者スループットとに関して最適化されるが、例えば患者の質量などの患者特性を含み、また、例えば患者がスキャン装置４の患者サポート６上ですごしていられる最大時間及びこれに類するものなどの、その他のスケジューリング制約を含むことができる。インテリジェントスケジューラは、非稼働時間及びスタッフの休憩に、利用可能でないとしてマークを付ける。インテリジェントスケジューラは、さもなければ使用されない時間を充たすように患者のスキャン時間を延長し、それに従って投与放射性医薬品の量を減らすことによって、スケジュールを最適化することができる。例えば、患者スキャン時間が休憩前に５分の隙間を残すことになる場合、そのスキャン時間を５分だけ延長することができ、放射性医薬品の投与量がそれに対応して削減される。
【００２２】
インテリジェントスケジューラ２は、放射性医薬品の時間及び投与量、患者ローディング／アンローディング要件、及び指示された手順に基づいて、指示されたスキャン手順の時刻及び時間をスケジュールする。所与のスキャン開始時間を用いて、スキャン手順の時間は、放射性医薬品の時間及び投与量から決定され得る。理想的には、満足のいく画像を作り出すと予想される最も低い投与量が選定される。しかし、利用可能なスキャン時間が過度に限られている場合、その利用可能なスキャン時間に合致するように、投与量を患者の安全性限界内で増加させることができる。患者ローディング要件は、患者をテーブル上に乗せる時間を含む。例えば、歩行可能な患者は、５分以内で、患者テーブル上に乗せられてスキャンが開始することができる。９：３０ａｍに開始すべき２０分のスキャン時間は、実際には、５分の患者ローディングを伴って９：３５に開始することになり、５分のアンローディングを伴って１０：００に終了する。スキャン装置のスケジューリングに利用可能な次の期間は、次の患者の注入を前もって適時にしておいて、１０：００となる。スケジュールされる各スキャン手順は、ローディング時間及びアンローディング時間を含む。ローディング及びアンローディングの時間は、患者要件に基づき、患者の可動性の指標を含むことができる。患者の可動性の指標は、患者の年齢、患者の体重、患者の身長−質量比、歩く能力若しくは歩行状態、及び患者に意識があるかを含み得る。患者特性、及び患者の可動性の指標は、指示する側の医療従事者から受け取ることができ、あるいは、例えば病院情報システム（ＨＩＳ）８及びこれに類するものなどの患者記録システムから得ることができる。
【００２３】
インテリジェントスケジューラは、特定の日又はその日の部分にスケジュールされた患者群に対応した、放射性医薬品の単位用量の放射性薬局発注リストを生成することができる。例えば、午前の配達用に１つのリストが生成され、午後の配達用に第２のリストが生成され得る。リストに含められる各投与量は、スケジュールされた或る一人の患者に対応するとともに、スケジュールされた注入時刻に基づく。発注リストは、スケジュールされた注入時刻に基づくことができ、あるいはスケジュールされた配達時刻と注入時刻までの半減期崩壊とに基づき得る。
【００２４】
システム１は、受け取った各注文単位用量の放射性医薬品を時間及び各用量に対応する患者とともに追跡する追跡ユニット１０を含んでいる。追跡ユニットは、受領時の時刻及び強さを記録するとともに、放射性医薬品の半減期のテーブルルックアップを用いて、その日の間の任意の時点（スケジュールされた注入時刻、又は、遅れがある場合の予測される注入時刻若しくは撮像時刻を含む）での強さを決定することができる。
【００２５】
システム１は、その日にスケジュールされた残りの患者の各々に単位用量を投与すべき時刻と、スキャン手順の時刻及び時間とを予測する予測ユニット１２を含んでいる。この予測は、追跡システム１０からの情報と、到着、遅れ、取消、及びデイリースケジュール（日課）中に医療従事者によって入力される緊急事態、についての情報とに基づく。スキャン手順の時刻及び時間は、患者をスキャン装置４内にローディングする時刻及び時間、並びに患者をスキャン装置４からアンローディングする時刻及び時間を含む。インテリジェントスケジューラ２を参照して述べたように、予測ユニット１２は、患者特性及びローディング／アンローディング要件を用いて、予測されるスケジュールの時刻及び時間を決定する。
【００２６】
予測ユニットは、代替的に、スケジュール日に先立ち、及び活動が残っているスケジュール日の間に、“ｗｈａｔ−ｉｆ”（もし〜だったらどうなるか）シナリオを用いてデイリースケジュールを計画（プランニング）するために使用され得る。“ｗｈａｔ−ｉｆ”シナリオは、医療従事者がスケジュール内での少なくとも１つの潜在的な変化（例えば、取消、緊急追加、用量を投与する際の遅れ、用量投与後且つローディング前のいっそう長い待機、ローディングにおける遅れ、スキャンにおける遅れ、アンローディングにおける遅れなど）を特定することを含み、予測ユニットは、その他の患者及びスケジュール全体に対する影響に基づいて、残りの期間についてのスケジュールを予測する。“ｗｈａｔ−ｉｆ”シナリオは、スケジュールを実際に変更するのではないが、医療従事者が少なくとも１つの入力装置を用いることによるコマンドを用いて、提案する変更を予測に対して表明することができる。この“ｗｈａｔ−ｉｆ”シナリオ予測は、スケジュールへの潜在的な変化の影響を医療従事者が評価することを可能にすることによって、スキャンスループットに対する漸進的な改善をもたらすことができる。医療従事者は、ワークステーション１４を介して、例えば進行中のアクティビティ、スタッフの休憩、又は固定的なスケジュールされた予約などの確かな制約を特定することができる。予測ユニットは、スケジュールへの何らかの変更又は提案された変更の影響を決定し、その結果を表示装置１６上に表示する。
【００２７】
ワークステーション１４は、少なくとも１つの電子的なプロセッサ又は処理装置１８と、表示装置１６と、少なくとも１つの入力装置２０とを含んでいる。ワークステーション１４は、デスクトップコンピュータ、ラップトップ、タブレット、モバイルコンピューティング装置、スマートフォン、及びこれらに類するものをし得る。入力装置２０は、キーボード、マウス、マイクロフォン、及びこれらに類するものとし得る。ワークステーションは、ネットワーク２２へと、またスキャン装置４へと接続されることができ、あるいは分離されることができる。生成された放射性医薬品の発注リストは、ネットワークを介して放射性薬局２４に伝送されることができる。例えば、ポータブルドキュメントフォーマットが生成され、デジタル署名を有する電子メールの添付ファイルとして、放射性薬局に送信され得る。発注書又はその他の関連情報が添付ファイルに含められ得る。他の例では、生成された発注情報は、実際に放射性薬局に発注する例えば内部発注管理サーバなどの内部コンピューティング装置に伝送あるいはアップロードされ得る。放射性医薬品の受領が、ワークステーション１４を介して追跡ユニットに入力され、あるいは内部受領システムから送信され得る。追跡システムによって受信されて記録される情報は、具体的な放射性医薬品及び配達の時点での線量を含む。
【００２８】
予測ユニット１２及びインテリジェントスケジューラ２は、ローカルリポジトリ３にロードされた取り出しデータを用いて、スケジュール及び予測を最適化する。ローカルリポジトリは、例えばスキャン装置４のログファイル３０、病院情報システム８、画像保管通信システム（ＰＡＣＳ）及び／又は放射線医学情報システム（ＲＩＳ）３２などの、データソースから取り出されたデータを含む。スケジュールマイニングユニット３４が、データを抽出し、変換し、そしてローカルリポジトリ３にロードする。情報は、許容可能な画像を生み出した先行スキャンの、患者の体重、時間、投与量、イベントの継続時間などを提供するスキャン装置のログファイルから抽出され得る。情報はまた、ＰＡＣＳ／ＲＩＳ３２内にある以前の核医学手順からの画像のＤＩＣＯＭヘッダ情報から抽出され得る。情報は更に、ＨＩＳ８又はその他の患者記録ソース（源）内にある患者固有情報で補完され得る。
【００２９】
スケジュールマイニングユニット３４によって提供される変換は、データの選択及び／又はグループ分けと、スケジューリング及び／又は予測に使用可能な統計を構築することとを含む。情報は、放射性医薬品、放射性医薬品の投薬量、関心領域、スキャンプロトコル、スキャン所要時間、スキャン及び／又は投薬の時刻、及びこれらに類するものによって選択あるいはグループ分けされ得る。例えば、平均スキャン時間でのスキャンが、ガリウム６８を用いて腫瘍の全身スキャンを受ける患者のために構築され得る。同じ患者集団のローディング及びアンローディングに関して別々の平均が提供され得る。新たな患者の手順をスケジューリングするとき、医療従事者は、その新患者に最良の時及び時間を決定するために、ローカルリポジトリからインテリジェントスケジューラ及び／又は予測ユニットによって提供される情報をレビューすることができる。他の例では、システムが、安全因子である例えば平均時間＋ｎ＊標準偏差など、利用可能な情報及びパラメータに基づいて、提案するスケジュールを提示し得る。提案されたスケジュールは、医療従事者によってレビュー及び／又は修正され得る。
【００３０】
インテリジェントスケジューラ２、スケジュールマイニングユニット３４、及び／又はローカルリポジトリ３の機能は、クラウドベースのインテリジェントスケジューラ３６、共有スケジュールマイニングユニット３８、及び／又は共有リポジトリ４０を伴うクラウドベースのコンピューティングへと拡張されることができる。クラウドベースのインテリジェントスケジューラ３６は、ウェブベースのサービスとして動作する。クラウドベースのインテリジェントスケジューラは、医療従事者によって入力されるデータを用いた、且つ／或いはローカルリポジトリ３に代えて共有リポジトリ４０のデータに基づいた、インテリジェントスケジューラ２の機能を含む。共有スケジュールマイニングユニット３８は、例えば、似た医療問題に関する似通った患者の撮像セッションに関して、複数のスキャン装置及び／又は現場４２からデータを取り出すことができる。取り出されたデータは、スキャン装置の種類、スキャン装置オプション、稼働時間、成功事例、及びこれらに類するものによる選択及び／又は順序付けを含めることによって更に変換され得る。例えば、新しいスキャナをまさに組み入れようとしている組織は、クラウドベースのインテリジェントスケジューラ３６を用いてスケジューリング及び予測を行うことができる。組織がローカルなログファイル３０を訓練するとき、ＰＡＣＳ／ＲＩＳ３２がローカルな訓練のためにマイニングされ得る。組織は、例えば現場１といったローカルな現場でのスケジュール及び予測を好むことがあり得る。より多くの経験のある組織は、ローカルでのスケジュール及び予測を好むものの、新しい手順及び／又は放射性医薬品について、スキャン時間、投薬時間、ローディング時間、及びアンローディング時間の望ましいスケジューリングのための推奨に関して、クラウドベースのインテリジェントスケジューラを介して共有リポジトリ４０を調べることも好むことがある。インテリジェントスケジューラ及びクラウドベースのインテリジェントスケジューラは、現場に漸進的な改善の機会を提供する。
【００３１】
インテリジェントスケジューラ２及び様々なユニット１０、１２、２６、３４、３６、３８は、例えばワークステーション１４の電子プロセッサ又は電子処理装置１８などの電子データ処理装置によって、あるいはネットワーク２２によりワークステーション１４と動作的に接続されるネットワークベースのサーバコンピュータによって、などで好ましく具現化される。ユーザインタフェースユニット２６が、ワークステーション１４によって好ましく具現化される。また、開示のスケジューリング、予測及びデータマイニングの技術は、電子データ処理装置によって読み取り可能であり且つスケジューリング、予測及びマイニングの技術を実行するように電子データ処理装置によって実行可能な命令（例えば、ソフトウェア）を格納する、非一時的な記憶媒体を用いて好ましく実装される。
【００３２】
図２は、似た問題を有する似通った患者の投与量、時間、プロトコルなどに関して取り出されたデータを用いるインテリジェント核医学ワークフロースケジューリング方法の一実施形態をフローチャートに描いている。ステップ４４にて、インテリジェントスケジューラ２が、スキャン装置の利用可能性と、指示された手順及び患者特性の制約とに基づいて、三日間のタイムウィンドウ内で核医学スキャン手順をスケジュールする。患者特性の制約は、例えば可動性の指標などの、患者のローディング及びアンローディングのための時間を決定する情報、並びに、患者がスキャン手順のための横になっていられる時間制限を含み得るスキャン手順の時間を含む。このスケジューリングステップは、各患者が日時をスケジューリングされるとき、決定ステップ４６に基づいて繰り返される。インテリジェントスケジューラ２は、患者サポート６上に患者を乗せることを含むスキャン手順の開始時間、指示されたスキャン手順に関して決定される放射性医薬品の単位用量の量の時間、何らかの現場特有の手順若しくはカスタマイズ化、及び指示されたスキャン手順の所要時間に基づいて、到着日時をスケジュールする。放射性医薬品の単位用量は、例えば体重などの患者特性及び指示された手順に基づいて決定される。スキャン手順のスケジュール時間は、患者のローディング及びアンローディングの期間を含む。患者のローディング及びアンローディングの期間は、可動性の指標を含む患者特性に基づく。このスケジューリングは、例えば稼働時間及びスタッフの休憩などの制約を含むことで、スケジュールされる各患者の期間ブロックを、スタッフ配置開始時間、スタッフの休憩、交代勤務終了時間などの間の時間に最良に適合（フィット）させる。取消を行うことができ、その時間期間は空きとしてマークを付けられる。空けられたタイムウィンドウ内に追加が適合し得る場合、空きタイムウィンドウに追加を行うことができる。
【００３３】
ステップ４８にて、スケジュールされた一人の患者又は複数の患者に通知が送られる。通知は、各々のスキャン手順がスケジュールされるときに個別に送られることができ、あるいはグループとしてまとめて送られる。通知は、例えば電子メールなどを介して電子的に送信されてもよいし、郵便サービスを介して紙で送られてもよい。
【００３４】
ステップ５０にて、例えばスケジュールされたスキャン手順の約一か月前に、スケジュールされた日が固定され得る。その他の日はスケジュールされ続けることができる。固定することは、その固定日にスケジュールされた患者用の放射性医薬品を発注する直前に行われることができ、発注した単位用量の放射性医薬品の放射性薬局からの納期に基づく。この固定は、スケジュール最適化が完了してスケジュールされた患者に通知が送られる例えば日（デイ）といった期間を含み得る。
【００３５】
ステップ５２にて、発注すべき単位用量がインテリジェントスケジューラ２によって生成される。これは、例えばスキャン装置の現場といった特定の場所への期待配達日時を含む。単位用量は、その日にスケジュールされた患者群に対応するとともに、指示されたスキャン手順及び患者特性に基づく。例えば、患者Ａに対応する具体的な用量は、患者質量を含むとともに、期待される配達時間、用量の投与の予定時間、並びにスキャン手順の開始時間及び所要時間に基づいた、用量調整を含むことができる。スキャン手順の所要時間は、例えばどれだけ長く患者がスキャン装置４の患者サポート６上で横になっていられるかについての限界など、患者特性によって制限され得る。配達される用量は、早くにスケジュールされている患者に対して低くされることができ、あるいは患者質量に基づいて低くされることができる。配達される用量は、遅くにスケジュールされている患者又は大きい患者（例えば、より重い質量）に対して高くされることができる。
【００３６】
ステップ５４にて、受領した単位用量が追跡ユニット１０によって記録される。単位用量は、グループとして照合されて受領されることができ、且つ／或いは個別に記録され得る。医療従事者がユーザインタフェースユニット２６を介して情報を入力することができ、あるいは薬局受領システム並びに例えばバーコードリーダやこれに類するものなどの入力装置から情報が受信され得る。不足／使用不能の単位用量及び受領の遅れが、追跡ユニットによって記録され得る。
【００３７】
ステップ５６にて、放射性医薬品が投与され、投与時刻が記録される。インテリジェントスケジューラ２が、スケジュールされた投与時刻を提供する。スケジュールされた投与時刻からの計画又は実際の差に基づいて、遅れを計算することができる。放射性医薬品の投与は、到着時間の遅れに基づいて遅らせることができる。必要に応じて、予測ユニット１２により、実際の患者到着時間を追跡することができる。追跡ユニットは、患者特性並びに指示されたスキャン手順の時刻及び時間に基づいて、投与の時点での患者に対する用量を確認することができる。
【００３８】
ステップ５８にて、スケジュールされたローディング期間中に、患者が患者支持テーブル上に乗せられる。ローディングの時間が、例えば時間の積極的確認などでユーザインタフェースユニット２６を介して記録され、あるいはログファイル３０から取り出され得る。スケジュールの残りの部分について遅れを予測することができる。
【００３９】
ステップ６０にて、指示されたスキャン手順が、スキャン装置を用いて実行される。実際の時間及び放射性医薬品の用量の関数として、スキャン時間を調整することができる。予測ユニットによって受け取られる延長されたスキャン時間が使用されてもよい。医療従事者による初期的な画像レビューに基づく延長スキャン時間は、遅れを必要とし得るが、後のスケジュール患者に影響を及ぼし得る。画像再構成は、スケジューリングにおける制約とならないよう、データが受信されたときに、分散・並列処理を用いて開始され得る。画像が、ワークステーション１４のディスプレイ上又は別個のディスプレイ上に表示され得る。
【００４０】
ステップ６２にて、患者がスキャン装置からアンローディングされる。システムが、終わりに当たり、例えば、入力されるかログファイルから取り出されるかする実際の時間をロードあるいは受信することなどによる、終了時間の積極的確認を要求し得る。
【００４１】
決定ステップ６４にて、ローディング、スキャン及びアンローディングのプロセスが、各患者に対して繰り返され得る。ローディング、スキャン及びアンローディングを含むスキャナ使用の各フェーズの計画制度の改善された指標に基づいて、スキャン装置スループットを最適化することができる。ステップ６６にて、収集後（ポストアクイジション）の再構成及び分析が実行される。収集後の再構成は、スキャン装置の使用を分散・回避し、スキャン手順からの記録データを使用する。
【００４２】
予測することは、放射性医薬品を投与すること５６、患者を患者サポート上にローディングすること５８、指示された核医学スキャン手順及び延長に従って患者をスキャンすること６０、及び患者を患者サポートからアンローディングすること６２を含む後続の各患者に対するステップ群６７からのスケジュールを修正することを含む。予測することは、潜在的な変化が後又は下流のスケジュール患者への影響に関して評価される“ｗｈａｔ−ｉｆ”シナリオを含むことができる。例えば取消又は緊急患者を追加することなど、“ｗｈａｔ−ｉｆ”シナリオで評価される変化が、スケジュールに対して表明され得る。
【００４３】
図３は、インテリジェント核医学ワークフロースケジューラシステム１の例示的なスケジュールを図式的に示している。インテリジェントスケジューラ２は、各日（Ｄａｙ）のスキャン手順をスケジュールする。このスケジュール例は、Ｎという単一の日について分解されている。このスケジュールは、スキャン装置４のスループットに関係するアクティビティ６８と、放射性医薬品の投薬（Ａｄｍｉｎ  ｄｏｓｅ）に関係するアクティビティ７０と、患者到着アクティビティ７２とを含んでいる。スケジューリングにおける従属関係を例示するために、患者（Ｐａｔｉｅｎｔ）３のスケジューリングを更に詳細に説明する。
【００４４】
インテリジェントスケジューラ２は、デイリー（日）ベースで各患者を次の空き位置にスケジュールする。日が午前と午後とに分割され、スケジュールの柔軟性の目的で別々の日として扱われる。次の空き位置を選択する際、スケジュールは、先行する各患者に関して先にスケジュールされた時間７４（ローディング（Ｌｏａｄ）時間、アンローディング（Ｕｎｌｏａｄ）時間、及びスキャン時間を含む）を統合する。ローディング及びアンローディングの時間は、例えば可動性の指標などの患者特性に基づいてスケジュールされる。このスケジュールにおいて、患者４は、例えば歩行できないなどの可動性指標に起因して、より長いローディング及びアンローディング時間を有するようにスケジュールされている。スキャン時間は、指示された手順と、手順の時点で予定される用量とに基づく。このスケジュール例において、インテリジェントスケジューラは、患者１及び２に関するローディング、スキャン及びアンローディングの時間を統合している。患者１及び２をローディング、スキャン及びアンローディングするためのスケジュール時間は、患者１及び２の各々のスケジューリングの時点で確立されるスケジュール時間に基づき得る。これらの時間は、その後且つその日の次の空き時間のスケジューリングの前に受け取られる更なる情報に基づいて修正され得る。スケジュールへの更なる変更は予測ユニット１２に含まれる。
【００４５】
インテリジェントスケジュール２は更に、次の空き位置を選択する際、例えば休憩（Ｂｒｅａｋ）、食事及び稼働時間などのスタッフ制約７６を含む。一実施形態において、スタッフ制約は確固たる制約である。他の実施形態において、スタッフ制約は、量りにかけられることができ、且つ／或いは例えば＋ｘ分などの変更可能なスタートを与えられ得る。例えば、休憩を５分後ろにスケジュールすることによって或る空き位置を利用することができる場合、この休憩がシフトされてスキャン手順がスケジュールされ、この休憩の後に次の空き位置がスケジュールされる。さもなければ、このスキャン手順は、次の空き位置にてこの休憩の後にスケジュールされる。
【００４６】
インテリジェントスケジューラ２は、最適化スキャンスループットに基づいて、スキャン手順に関する時間及び放射性医薬品の用量７８をスケジュールする。用量は、特定の時点での投与と例えば患者質量などの患者特性とに合わせて修正された、スキャン時点での用量に基づく。発注用量は、スキャン現場での受領（Ｒｅｃｅｉｖｅ  ｄｏｓｅｓ）のスケジュール時間８０に基づく更なる補正を含み得る。インテリジェントスケジューラは更に、放射性医薬品の投与のための適切なリードタイム（準備時間）を有するように到着時間８２をスケジュールする。このリードタイムは、放射性医薬品の投与に先立っての患者に対する現場固有の説明及び指示のための時間を含み得る。
【００４７】
インテリジェントスケジューラ２によって取消が対処される。スケジュール内のその位置が、空きとしてマークを付けられる。スケジュールへの追加が、次の空き位置にスケジュールされ、これは、ローディング及びアンローディングの期間を含めてスキャン手順をスケジュールすることを含むことができる。
【００４８】
図４は、インテリジェント核医学ワークフロースケジューラシステム１の例示的な予測を図式的に示している。この予測例においては、患者３が到着し、歩行することができず、予期せずして、患者サポート６上へのローディング及び患者サポートからのアンローディングに追加の時間を要している。さらに、患者５がキャンセルするとともに、緊急患者８がスケジュールに追加されている。
【００４９】
患者３のローディング及びアンローディングによる遅れが、休憩の開示時間を後ろにシフトさせており、代わってそれが、患者４のローディングの開始時間を後ろにシフトさせている。患者４用の放射性医薬品は既に投与されており、遅れに適応するよう、予測ユニット１２が患者４のスキャン時間を調整することを前もって計画している。このずれ（シフト）は、下流のスケジュール患者に続くことになるが、患者５がキャンセルしているので、遅れの影響は患者４に限られており、次の患者である患者６に関する予測状態はスケジュール通りとして予測されている。予測ユニットは、患者８が時間内に到着した場合には、空いた患者５のスロットを新たな患者８で埋める。さもなければ、患者８は、この例に示されるように緊急患者としてスケジュールされ、それにより患者７に遅れが生じる。患者６が自身の用量を投与された後及び／又はスキャンされている後に患者８が到着したらどうなるかの“ｗｈａｔ−ｉｆ”を用いて、スケジュールへの影響が評価され得る。他の例では、患者５の取消に伴い、患者６に対し、患者７に影響を及ぼすことなく、単位用量を削減し、スキャン時点をより早くして、スキャン時間を増加させることができる。
【００５０】
緊急患者８の到着が、患者７の前でスケジュールに挿入されている。予測ユニットは、スケジュールに患者８を実際に追加するのに先立って、“ｗｈａｔ−ｉｆ”シナリオを用いて予測を行って、後にスケジュールされている患者への影響を決定することができる。放射性医薬品は、種類及び用量が患者特性に好ましいものである場合、例えば患者５などの取消患者の分から取り得る。あるいは、単位用量が放射性薬局から配達されることを要することもある。患者８が、患者７の前でスケジュールに挿入される。予測ユニット１２は、患者４に対する遅れと同様に患者７を遅延させることができ、あるいは、患者７への放射性医薬品の投与の繰延スタートを用いて、遅れを更に上流に移動させることができる。放射性医薬品の投与時間を変更するに当たり、予測ユニット１２は、遅れる開始時間に基づいて、放射性医薬品の崩壊を計算してスキャン時間の調整を前って計画する。例えば放射性医薬品が最小限をも下回るといった、どのような解決策も可能でない予測シナリオに関しては、警告が表示装置上に表示される。
【００５１】
理解されるように、ここに提示した特定の例示の実施形態との関連で、特定の構造的及び／又は機能的な特徴が、規定の要素及び／又はコンポーネントに組み込まれているものとして説明されている。しかしながら、企図されることには、これらの特徴はまた、同じ又は同様の利益で、適宜にその他の要素及び／又はコンポーネントにも同様に組み込まれ得る。やはり理解されるように、これら例示の実施形態の異なる態様が、所望の用途に適した他の代替実施形態を達成するように、適宜に選択的に採用されてもよく、他の代替実施形態はそれにより、それに組み込まれた態様それぞれの利点を実現し得る。
【００５２】
やはり理解されるように、ここに記載された特定の要素又はコンポーネントは、ハードウェア、ソフトウェア、ファームウェア、又はこれらの組み合わせによって好適に実装された自身の機能を有し得る。また、理解されるように、一緒に組み込まれるものとしてここに記載された複数の特定の要素は、好適な状況下で、独立した要素であってもよいし、その他の方法で分離されてもよい。同様に、１つの特定の要素によって実行されるものとして記載された複数の特定の機能は、個々の機能を実行するように独立に動作する複数の別々の要素によって実行されてもよく、また、特定の個別の機能が分離されて、協働する複数の別々の要素によって実行されてもよい。他の例では、ここでは互いに別個であるとして図示され且つ／或いは別段に記載された一部の要素又はコンポーネントが、物理的あるいは機能的に適宜に結合されてもよい。
【００５３】
要するに、本明細書は、好適な実施形態を参照して説明されている。自明なことに、本明細書を読んで理解した者には変更及び改変が浮かぶであろう。意図されることには、本発明は、添付の請求項の範囲又はその均等範囲に入る限りにおいて、全てのそのような変更及び改変を含むとして解釈されるものである。つまりは、以上にて開示された機構及び機能並びにその他の機構及び機能のうちの様々なもの、又はそれらを代替するものは、数多くの他の異なるシステム又は応用へと望ましく組み合わされ得るものであり、また、後に当業者によって為され得る、これらにおける様々な現時点では予測不能あるいは予期せぬ代替、変更、変形又は改良も、同様に、以下の請求項によって包含されるものである。
【図１】
2016502092.tif 000003
【図２】
2016502092.tif 000004
【図３】
2016502092.tif 000005
【図４】
2016502092.tif 000006
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールするインテリジェントスケジューラであり、前記スケジュールすることは、少なくとも一人の患者のスケジュールを、前記タイムウィンドウを延長し且つ投与量を削減することによって、利用可能なタイムウィンドウに適合するように調整することによるものを含む、インテリジェントスケジューラ、
を有する核医学スキャナシステム。
【請求項２】
前記タイムウィンドウは、
前記指示された手順と、少なくとも１つの患者特性と、到着時間とに基づく放射性医薬品の単位用量の時間及び量と、
前記放射性医薬品の前記時間及び用量と、患者ローディング／アンローディング要件と、前記指示された手順とに基づくスキャン手順の時間及び所要時間と、
を含む、請求項１に記載のシステム。
【請求項３】
前記取り出されるデータは、
放射性医薬品、
投与された放射性医薬品の単位用量、
関心領域、
患者の体重、
疾患、
スキャンプロトコル、
放射性医薬品を投与してからスキャンまでの待機時間、
画像品質、
スキャン所要時間、
時刻、
スキャン装置の種類、
装置オプション、
稼働時間、及び
核医学の成功事例
のうちの少なくとも１つによる、以前の患者からのデータの選択及び／又はグループ分けを含む、請求項１乃至２の何れか一項に記載のシステム。
【請求項４】
複数の患者の前記スケジュールが、以前の患者のグループと比較して各患者の高い品質の画像及び最小限の投与量に必要な、稼働時間及びスタッフの休憩を含む時間に基づいて、複数の日にちの長さにわたって最適化される、請求項１乃至３の何れか一項に記載のシステム。
【請求項５】
前記患者特性は、
患者の質量、
患者が前記スキャン装置の患者サポート上で過ごすことができる最大時間
のうちの少なくとも一方を含む、請求項２乃至４の何れか一項に記載のシステム。
【請求項６】
前記ローディング／アンローディング要件は、
患者の年齢、
患者の質量、
患者の身長−質量比、
患者が歩行可能かどうか、
患者に意識があるかどうか
のうちの少なくとも１つに基づく患者可動性の指標を含む、請求項２乃至５の何れか一項に記載のシステム。
【請求項７】
受領した各放射性医薬品の発注単位用量、時間に伴う各放射性医薬品の崩壊、及び意図される患者を追跡する追跡ユニットと、
放射性医薬品の追跡された単位用量と、スケジュールされた複数の患者の到着とに基づいて、
各患者に各放射性医薬品の追跡された単位用量を投与すべき時間、
各患者を前記スキャン装置内にローディングすべき時間及び所要時間、
前記指示されたスキャン手順を実行すべき時間及び所要時間、及び
各患者を前記スキャン装置からアンローディングすべき時間及び所要時間
を予測する予測ユニットと、
を更に含む請求項１乃至６の何れか一項に記載のシステム。
【請求項８】
前記予測ユニットは、
前記スケジュールへの取消、
前記スケジュールへの緊急追加、
発注した放射性医薬品単位用量の受領の遅れ、
少なくとも１つの放射性医薬品単位用量の喪失、
少なくとも一人の患者に放射性医薬品を投与することの遅れ、
患者をローディング及び／又はアンローディングすることの遅れ、及び
延長されたスキャン手順による遅れ
のうちの少なくとも１つに基づいて前記予測を修正する、請求項７に記載のシステム。
【請求項９】
前記予測ユニットは、少なくとも１つの患者スケジュールへの少なくとも１つの提案変更に基づく“ｗｈａｔ−ｉｆ”シナリオを含み、前記予測ユニットは、代替的な予測として、前記少なくとも１つの患者スケジュールへの前記少なくとも１つの提案変更によって影響される全ての患者スケジュールへの変更を予測する、請求項７乃至８の何れか一項に記載のシステム。
【請求項１０】
核医学撮像をスケジュールする方法であって、
複数の患者を各々、核医学スキャン装置を用いる指示された核医学スキャン手順に関して、患者投与量を最小化するタイムウィンドウ内で、似たスキャン手順を用いた以前の患者から取り出されるデータに基づいてスケジュールすること、及び
少なくとも一人の患者のスケジュールを、前記タイムウィンドウを延長し且つ投与用量を削減することによって、利用可能なタイムウィンドウに適合するように調整すること
を有する方法。
【請求項１１】
前記タイムウィンドウは、
前記指示された手順と、少なくとも１つの患者特性と、到着時間とに基づく放射性医薬品の単位用量の時間及び量と、
前記放射性医薬品の前記時間及び用量と、患者ローディング／アンローディング要件と、前記指示された手順とに基づくスキャン手順の時間及び所要時間と、
を含む、請求項１０に記載の方法。
【請求項１２】
データを取り出すことは更に、
放射性医薬品、
投与された放射性医薬品の単位用量、
関心領域、
スキャンプロトコル、
スキャン所要時間、
時刻、
スキャン装置の種類、
装置オプション、
稼働時間、及び
成功事例ガイドライン
のうちの少なくとも１つに基づいて、以前の患者スキャン手順のスキャン手順の時間及び所要時間を選択することを含む、請求項１０に記載の方法。
【請求項１３】
複数の日にちの長さにわたる複数の患者の前記スケジュールを、以前の患者のグループと比較して各患者の高い品質の画像及び最小限の投与量に必要な、稼働時間及びスタッフの休憩を含む時間に基づいて最適化すること、
を更に含む請求項１１乃至１２の何れか一項に記載の方法。
【請求項１４】
受領した各放射性医薬品の発注単位用量、時間に伴う各放射性医薬品の崩壊、及び各患者に関する用量を追跡することと、
放射性医薬品の追跡された単位用量と、スケジュールされた複数の患者の到着とに基づいて、
各放射性医薬品の追跡された単位用量を関連する各患者に投与すべき時間、
各患者を前記スキャン装置内にローディングすべき時間及び所要時間、
前記指示されたスキャン手順を実行すべき時間及び所要時間、及び
各患者を前記スキャン装置からアンローディングすべき時間及び所要時間
を予測することと、
を更に含む請求項１１乃至１３の何れか一項に記載の方法。
【請求項１５】
前記予測を、
前記スケジュールへの取消、
前記スケジュールへの緊急追加、
発注した放射性医薬品単位用量の受領の遅れ、
少なくとも１つの放射性医薬品単位用量の喪失、
少なくとも一人の患者に放射性医薬品を投与することの遅れ、
患者をローディング及び／又はアンローディングすることの遅れ、及び
延長されたスキャン手順による遅れ
のうちの少なくとも１つに基づいて修正すること、
を更に含む請求項１４に記載の方法。
【国際調査報告】
2016502092.tif 000007
2016502092.tif 000008
2016502092.tif 000009